【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
細長い第１の部分と、
細長い第２の部分と、
前記第１の部分と前記第２の部分の間に配置され、第１の係止部を画定する内側表面を有する中間部分と、
抵抗部材が前記内側表面の少なくとも一部に固定され且つ該内側表面の少なくとも一部と係合するように、前記第１の係止部と係合するように構成された第２の係止部を画定する外側表面を有する抵抗部材と、
を備えた脊椎ロッド。
【請求項２】
前記中間部分は、前記第１の部分および前記第２の部分に対して可撓性があり、また、前記第１および第２の部分の移動に対して抵抗を与えるように構成されている、請求項１に記載の脊椎ロッド。
【請求項３】
前記抵抗部材は弾性があり、前記第１および第２の部分の移動に対して抵抗を与えるように構成されている、請求項１に記載の脊椎ロッド。
【請求項４】
前記中間部分は、これに応じた形状の内側表面および開口端部を画定するＣ字形構成を有し、それにより前記抵抗部材は前記開口端部の閉塞を防ぐように構成されている、請求項１に記載の脊椎ロッド。
【請求項５】
前記第１および第２の部分の移動を制限するような構成で、その間の連結のために前記第１の部分および前記第２の部分の周りに配置された張力要素をさらに備えた、請求項１に記載の脊椎ロッド。
【請求項６】
前記張力要素は、前記第１の部分の周りに配置された第１のループ部、および前記第２の部分の周りに配置された第２のループ部を含む細長いバンド構成を有する、請求項５に記載の脊椎ロッド。
【請求項７】
前記第１の部分は、前記第２の部分によって画定される長手軸から１８０度未満の角度で配置された長手軸を画定する、請求項１に記載の脊椎ロッド。
【請求項８】
前記第１の係止部は、前記内側表面から突出する柱であり、前記第２の係止部は開口部であり、それによって前記柱は前記開口部に取り付けられるように構成されている、請求項１に記載の脊椎ロッド。
【請求項９】
第１の細長い部分と、
２０〜４００ｍｍの範囲の曲率半径を画定するアーチ形構成を有する、その少なくとも一部を含む第２の細長い部分と、
前記第１の部分と前記第２の部分の間に配置され、キャビティを画定し、係止部を含むアーチ形内側表面を有する可撓性中間部と、
第１の配向からの前記第１および第２の部分の移動に対する増加する抵抗を与える構成で、前記内側表面と係合するように前記停止部で取り付けられ前記キャビティ内に配置されたバンパーとを備えた脊椎ロッド。
【請求項１０】
前記バンパーは弾性がある、請求項９に記載の脊椎ロッド。
【手続補正２】
【補正対象書類名】明細書
【補正対象項目名】００２２
【補正方法】変更
【補正の内容】
【００２２】
脊椎ロッドシステムは、第１の配向からの部分の移動を制限するような構成で、部分の周りに配置され、第１の部分の周りに配置された第１のループ部、および第２の部分の周りに配置された第２のループ部を備えた細長い張力バンドを備えることができる。より特定すれば、本発明は、以下の形態に関し得る。
（形態１）細長い第１の部分と、細長い第２の部分と、上記第１の部分と上記第２の部分の間に配置され、第１の係止部を画定する内側表面を有する中間部分と、抵抗部材が上記内側表面の少なくとも一部に固定され且つ該内側表面の少なくとも一部と係合するように、上記第１の係止部と係合するように構成された第２の係止部を画定する外側表面を有する抵抗部材と、を備えた脊椎ロッド。
（形態２）上記中間部分は、上記第１の部分および上記第２の部分に対して可撓性があり、また、上記第１および第２の部分の移動に対して抵抗を与えるように構成されている、形態１に記載の脊椎ロッド。
（形態３）上記抵抗部材は弾性があり、上記第１および第２の部分の移動に対して抵抗を与えるように構成されている、形態１に記載の脊椎ロッド。
（形態４）
上記中間部分は、これに応じた形状の内側表面および開口端部を画定するＣ字形構成を有し、それにより上記抵抗部材は上記開口端部の閉塞を防ぐように構成されている、形態１に記載の脊椎ロッド。
（形態５）
上記第１および第２の部分の移動を制限するような構成で、その間の連結のために上記第１の部分および上記第２の部分の周りに配置された張力要素をさらに備えた、形態１に記載の脊椎ロッド。
（形態６）上記張力要素は、上記第１の部分の周りに配置された第１のループ部、および上記第２の部分の周りに配置された第２のループ部を含む細長いバンド構成を有する、形態５に記載の脊椎ロッド。
（形態７）上記第１の部分は、上記第２の部分によって画定される長手軸から１８０度未満の角度で配置された長手軸を画定する、形態１に記載の脊椎ロッド。
（形態８）上記第１の係止部は、上記内側表面から突出する柱であり、上記第２の係止部は開口部であり、それによって上記柱は上記開口部に取り付けられるように構成されている、形態１に記載の脊椎ロッド。
（形態９）第１の細長い部分と、２０〜４００ｍｍの範囲の曲率半径を画定するアーチ形構成を有する、その少なくとも一部を含む第２の細長い部分と、上記第１の部分と上記第２の部分の間に配置され、キャビティを画定し、係止部を含むアーチ形内側表面を有する可撓性中間部と、第１の配向からの上記第１および第２の部分の移動に対する増加する抵抗を与える構成で、上記内側表面と係合するように上記停止部で取り付けられ上記キャビティ内に配置されたバンパーとを備えた脊椎ロッド。
（形態１０）上記バンパーは弾性がある、形態９に記載の脊椎ロッド。
（形態１１）上記中間部分は、上記キャビティと連通する開口端部を含むＣ字形構成を有し、それにより上記バンパーは上記開口端部の閉塞を防ぐように構成されている、形態９に記載の脊椎ロッド。
（形態１２）上記中間部分は、間隔を置いて配置された複数の部分を備えている、形態９に記載の脊椎ロッド。
（形態１３）第１の細長い部分、第２の細長い部分、上記第１の部分と上記第２の部分の間に配置され、キャビティを画定し、第１の係止部を含む内側表面を有する可撓性中間部、および上記内側表面に固定されるように、上記内側表面と係合するように配置され、上記第１の係止部と係合するように構成された、第２の係止部を画定する外側表面を有する上記キャビティ内に配置された抵抗部材を備えた脊椎ロッドと、上記第１の部分を椎骨に取り付けるように構成された第１の締付要素、および上記第２の部分を隣接する椎骨に取り付けるように構成された第２の締付要素とを備えた、椎骨に取り付けるための脊椎ロッドシステムであって、上記脊椎ロッドは、第１の配向からの椎骨の湾曲または伸張中に、上記第１および第２の部分の移動に対して増加する抵抗を与えるように構成されている脊椎ロッドシステム。
（形態１４）上記第１の締付要素は上記第１の部分の可動支持を行なうように構成されたキャビティを画定し、上記第１の部分は上記第１の締付要素からの上記第１の部分の係脱を防ぐように構成された止め具を含んでいる、形態１３に記載の脊椎ロッドシステム。
（形態１５）上記第２の部分は、上記第２の部分が上記椎骨に関連する少なくとも２つの椎間レベルにわたって延びるように、上記第１の部分より大きい長さだけ延びており、それにより上記第２の締付要素および第３の締付要素は、上記第２の部分を上記椎骨に取り付けるように構成されている、形態１３に記載の脊椎ロッドシステム。